(57)【要約】【課題】  被監視装置を停止させることなく、監視装置の状態を確認することができる監視装置を提供する。【解決手段】  回転電機１の信号を検出手段１２にて受信して回転電機１の異常を監視するための監視装置において、模擬信号を発信する発信手段５と、発信手段５の模擬信号の発信の制御を行う制御機能と検出手段１２にて受信した模擬信号が正常に受信できたか否かを確認する確認機能と検出手段１２にて受信した回転電機１の信号があらかじめ設定されている基準値内か否かを判断する判断機能とを有する監視サーバ７と備えたものである。【選択図】        図１
2005321946.tif 000002
【特許請求の範囲】
【請求項１】
被監視装置の信号を検出手段にて受信して被監視装置の異常を監視するための監視装置において、模擬信号を発信する発信手段と、上記発信手段の模擬信号の発信の制御を行う制御手段と、上記検出手段にて受信した上記模擬信号が正常に受信できたか否かを確認する確認手段と、上記検出手段にて受信した上記被監視装置の信号があらかじめ設定されている基準値内か否かを判断する判断手段とを備えたことを特徴とする監視装置。
【請求項２】
上記発信手段は、上記監視装置内に配設するか、または、上記被監視装置内に配設するかにて成ることを特徴とする請求項１に記載の監視装置。
【請求項３】
上記確認手段は、正常に受信できていないと確認すると上記監視装置の動作に異常があることを通知することを特徴とする請求項１または請求項２に記載の監視装置。
【請求項４】
上記判断手段は、基準値内でないと判断すると上記監視装置の性能に異常があることを通知することを特徴とする請求項１ないし請求項３のいずれかに記載の監視装置。
【請求項５】
上記検出手段が周波数および強度の異なる複数の検知部にて成る場合、上記発信手段は上記模擬信号の周波数および強度を変更して発信することができ、上記確認手段は上記各模擬信号に対して正常に受信できたかた否かを確認することを特徴とする請求項１ないし請求項４のいずれかに記載の監視装置。
【請求項６】
上記検出手段および上記発信手段と、上記制御手段および上記確認手段および上記判断手段とが遠隔にて配設されている場合、上記発信手段および上記制御手段側に第１の送受信手段と、上記制御手段および記確認手段および上記判断手段側に第２の送受信手段とを備え、上記第１の送受信手段および上記第２の送受信手段は通信網を介して信号の送受信を行うことを特徴とする請求項１ないし請求項５のいずれかに記載の監視装置。
【請求項７】
被監視装置の信号を受信して被監視装置の異常を監視するための監視装置の診断方法において、模擬信号を発信する発信工程と、上記模擬信号を受信して正常に受信できたか否かを確認する確認工程と、上記被監視装置の信号を受信して上記信号の検出値があらかじめ設定された基準値内であるか否かを判断する判断工程とを備えたことを特徴とする監視装置の診断方法。
【請求項８】
上記模擬信号は上記被監視装置内にて発信するか、または、上記監視装置内にて発信するかのいずれかにて行うことを特徴とする請求項７に記載の監視装置の診断方法。
【請求項９】
上記確認工程において、正常に受信できていないと確認されると上記監視装置の動作に異常があると検出することを特徴とする請求項７または請求項８に記載の監視装置の診断方法。
【請求項１０】
上記判断工程において、上記検出値が基準値内ではないと判断されると上記監視装置の性能に異常があると検出することを特徴とする請求項７ないし請求項９のいずれかに記載の監視装置の診断方法。
【請求項１１】
上記模擬信号は周波数および強度を変更して発信することができ、上記各模擬信号に応じて上記確認工程を行うことを特徴とする請求項７ないし請求項１０のいずれかに記載の監視装置の診断方法。
【発明の詳細な説明】
【技術分野】
【０００１】
この発明は、被監視装置を停止させることなく、監視装置の状態を確認することができる監視装置に関するものである。
【背景技術】
【０００２】
従来の監視装置は、被監視装置としての回転電機の例えば部分放電の検出機能を有しているものである（例えば、特許文献１参照）。
【０００３】
【特許文献１】特開２００１−３１００７０号公報
【発明の開示】
【発明が解決しようとする課題】
【０００４】
従来の監視装置は被監視装置が正常に動作していか否かの監視を行うのみで、自己の装置自体の異常を判断することができないので、監視装置が異常を検出した場合、被監視装置の異常であるか監視装置の異常であるかを確認するためには、作業員が監視装置および被監視装置の両方を確認する必要があった。
【０００５】
この発明は上記のような問題点を解決するためになされたもので、監視装置の機能が正常であるか否かを判断することができ、監視および診断の精度を向上することができる監視装置を提供するものである。
【課題を解決するための手段】
【０００６】
この発明は、被監視装置の信号を検出手段にて受信して被監視装置の異常を監視するための監視装置において、模擬信号を発信する発信手段と、発信手段の模擬信号の発信の制御を行う制御手段と、検出手段にて受信した模擬信号が正常に受信できたか否かを確認する確認手段と、検出手段にて受信した被監視装置の信号があらかじめ設定されている基準値内か否かを判断する判断手段とを備えたものである。
【発明の効果】
【０００７】
この発明の監視装置は、被監視装置の信号を検出手段にて受信して被監視装置の異常を監視するための監視装置において、模擬信号を発信する発信手段と、発信手段の模擬信号の発信の制御を行う制御手段と、検出手段にて受信した模擬信号が正常に受信できたか否かを確認する確認手段と、検出手段にて受信した被監視装置の信号があらかじめ設定されている基準値内か否かを判断する判断手段とを備えたので、被監視装置を停止させることなく、監視装置の状態を確認することができる。
【発明を実施するための最良の形態】
【０００８】
実施の形態１．
図１はこの発明の実施の形態１の監視装置の構成を示すブロック図である。図において、被監視装置としての回転電機１と、回転電機１の信号を受信して回転電機１の異常を監視する監視装置４とを有する。そして監視装置４には、模擬信号を発信するための発生手段５と、検出部３が発信手段５の例えば部分放電の模擬信号を受信するか回転電機１の信号を受信するかを切り換えるための切換器６と、発生手段５および切換器６を監視サーバ７からの指示より制御するとともに監視サーバ７に検出部３からの信号を送信するＣＰＵ８と、監視サーバ７およびＣＰＵ８の信号を通信網９を介して送受信する第１および第２の送受信手段１０とにて成る。ここでは、検出部３、切換器６、ＣＰＵ８の全てを検出手段１２とする。
【０００９】
監視サーバ７は発信手段５の模擬信号の発信の制御を行う制御手段としての機能と、検出手段１２にて受信した模擬信号を受信し、正常に受信できたか否かを確認する確認手段としての機能と、検出手段１２にて受信した回転電機１の信号があらかじめ設定されている基準値内か否かを判断する判断手段としての機能とを備えたものである。そして、これらの内、検出部３、発信手段５、切換器６、ＣＰＵ８、第１の送受信手段１０は回転電機１の近傍に形成されている。そして、監視サーバ７、第２の送受信手段１１は回転電機１から遠隔の診断センター２０に配設されている。
【００１０】
次に上記のように構成された実施の形態１の監視装置の動作について説明する。まず、回転電機１の運転中に、診断センター２０の監視サーバ７から、第２の送受信手段１１、通信網９、第１の送受信手段１０を介してＣＰＵ８に自己診断を行う旨の指令を発信する。次に、ＣＰＵ８が自己診断指令を受信すると、ＣＰＵ８からの制御により切換器６を部分放電の模擬信号の発信手段５からの信号受信に切り換える。次に、発信手段５は部分放電の模擬信号を一定時間発信する。次に、発信した部分放電の模擬信号を検出部３にて計測する。
【００１１】
次に、この信号はＣＰＵ８から第１の送受信手段１０、通信網９、第２の送受信手段１１を介して監視サーバ７に送信される。そして、監視サーバ７はこの模擬信号を正常に受信したか否かを確認する。そして、正常に受信できていないと確認したら監視装置４のいずれかの部分が故障し、正常に動作していないことを確認し、監視装置４が異常であることを通知する。そしてこの場合、監視装置４のメンテナンスを行うのみで、回転電機１に対しては何ら処置する必要はない。また、監視装置１が正常に動作していると確認されると、次に、ＣＰＵ８からの制御により切換器６をセンサ２からの信号計測に切り換える。次に、回転電機１の信号を検出部３にて計測する。次に、この信号はＣＰＵ８から第１の送受信手段１０、通信網９、第２の送受信手段１１を介して監視サーバ７に送信される。
【００１２】
そして、監視サーバ７はこの信号があらかじめ設定されている基準値内か否かを判断する。そして基準値内であると判断したら検出手段１２の性能がよく正常に回転電機１の信号を検出することができることを判断する。また、基準値内で無いと判断したら検出手段１２の性能が悪く回転電機１の信号を精度良く検出することをできないと判断し監視装置４が異常であることを通知する。そしてこの場合、監視装置４のメンテナンスを行うのみで、回転電機１に対して何ら処置する必要はない。
【００１３】
上記のように構成された実施の形態１の監視装置は、部分放電の模擬信号が検出部へ入力されるため、センサを除く検査手段の機能が正常であるかを診断することができる。よって、監視装置の異常ではなく、回転電機の異常に対する監視を正常に行うことができる。また、回転電機内において新たに機器を設置する必要がないので、容易に構成することができる。また、監視サーバにて監視装置の機器が正常に動作しているか否かの確認をまず行うため余分な判断を行わなくとも監視装置の動作が正常か否かの確認を行うことができる。また、監視サーバは監視装置の機器の動作が正常であると確認した後に、監視装置の検出機能の性能が正常であるか否かを判断するため、監視装置の動作のことを加味することなく性能のみを判断することができる。また、検出手段および発信手段と監視サーバとが遠隔にて形成されている場合に、検出手段および発信手段に出向くことなく監視サーバにてこれらの異常を確認することができる。
【００１４】
実施の形態２．
図２はこの発明の実施の形態２の監視装置の構成を示すブロック図である。図において、上記実施の形態１と同様の部分は同一符号を付して説明を省略する。この実施の形態２における監視装置４０の模擬信号を発信する発信手段５０は回転電機１内に配設されている。また、発生手段５０の模擬信号は、回転電機１の電圧位相と同期した一定位相で繰り返し発信し、予め把握された既知信号強度に設定されている。これはセンサ２で通常の回転電機１の信号を受信するのと同様のレベルにて受信することができるようにするためである。ここでは、センサ２、検出部３、ＣＰＵ８の全てを検出手段１３とする。
【００１５】
次に上記のように構成された実施の形態２の監視装置の動作について説明する。まず、上記実施の形態１と同様に、回転電機１の運転中に、診断センター２０の監視サーバ７から、第２の送受信手段１１、通信網９、第１の送受信手段１０を介してＣＰＵ８に自己診断を行う旨の指令を発信する。次に、ＣＰＵ８が自己診断指令を受信すると、ＣＰＵ８からの制御により発信手段５に回転電機１の電圧位相と同期した一定位相で繰り返し発信させる。次に、発信した模擬信号をセンサ２にて受信して検出部３にて計測する。
【００１６】
次に、この信号はＣＰＵ８から第１の送受信手段１０、通信網９、第２の送受信手段１１を介して監視サーバ７に送信される。そして、監視サーバ７はこの模擬信号を正常に受信したか否かを確認する。そして、正常に受信できていないと確認したら監視装置４０のいずれかの部分が故障し、正常に動作していないことを確認し、監視装置４０が異常であることを通知する。そしてこの場合、監視装置４０のメンテナンスを行うのみで、回転電機１に対しては何ら処置する必要はない。また、監視装置１が正常に動作していると確認されると、次に、ＣＰＵ８からの制御によりセンサ２から回転電機１の信号を検出部３にて計測する。次に、この信号はＣＰＵ８から第１の送受信手段１０、通信網９、第２の送受信手段１１を介して監視サーバ７に送信される。
【００１７】
そして、監視サーバ７はこの信号があらかじめ設定されている基準値内か否かを判断する。そして基準値内であると判断したら検出手段１３が性能が良く正常に回転電機１の信号を検出することができることを判断する。また、基準値内で無いと判断したら検出手段１３の性能が悪く回転電機１の信号を精度良く検出することをできないと判断し監視装置４が異常であることを通知する。そしてこの場合、監視装置４のメンテナンスを行うのみで、回転電機１に対して何ら処置する必要はない。
【００１８】
上記のように構成された実施の形態２の監視装置は、上記実施の形態１と同様の効果を奏するのはもちろんのこと、模擬信号の発信手段を回転電機内に配設したため、センサを含む全ての検出手段の機能が正常であるかを診断することができる。よって、監視装置の異常ではなく、回転電機の異常に対する監視を正常に行うことができる。
【００１９】
実施の形態３．
図３はこの発明の実施の形態３の監視装置の構成を示すブロック図である。図において、上記各実施の形態と同様の部分は同一符号を付して説明を省略する。この実施の形態３における監視装置４１では検出部３１が周波数の異なる信号を検出する検知部としての第１の検出回路３１ａおよび第２の検出回路３１ｂにて形成されている。そして、模擬信号を発信する発信手段５１は第１の検出回路３１ａまたは第２の検出回路３１ｂに適した周波数および強度を変更して発信することができるように構成されている。ここでは、検出部３１、切換器６、ＣＰＵ８の全てを検出手段１４とする。
【００２０】
次に上記のように構成された実施の形態３の監視装置の動作について説明する。まず、上記各実施の形態と同様に、回転電機１の運転中に、診断センター２０の監視サーバ７から、第２の送受信手段１１、通信網９、第１の送受信手段１０を介してＣＰＵ８に自己診断を行う旨の指令を発信する。次に、ＣＰＵ８が自己診断指令を受信すると、ＣＰＵ８からの制御により切換器６を部分放電の模擬信号の発信手段５からの信号受信に切り換える。次に、発信手段５は第１の検出回路３１ａまたは第２の検出回路３１ｂに適した模擬信号を一定時間発信する。次に、発信した部分放電の模擬信号を検出部３１にて計測する。
【００２１】
次に、この信号はＣＰＵ８から第１の送受信手段１０、通信網９、第２の送受信手段１１を介して監視サーバ７に送信される。そして、監視サーバ７はこの模擬信号を正常に受信したか否かを確認する。そして、正常に受信できていないと確認したら監視装置４のいずれかの部分が故障し、正常に動作していないことを確認し、監視装置４が異常であることを通知する。そしてこの場合、監視装置４のメンテナンスを行うのみで、回転電機１に対しては何ら処置する必要はない。また、正常に受信すると監視装置１が正常に動作していると確認される。このように第１の検出回路３１ａおよび第２の検出回路３１ｂのそれぞれに対して確認を行う。以下、上記実施の形態１と同様に監視装置１の性能を判断する。
【００２２】
上記のように構成された実施の形態３の監視装置は、上記実施の形態１と同様の効果を奏するのはもちろんのこと、検出手段が異なる複数の検知部にて成る場合でも、それぞれの検知部に対応した動作確認を行うことができる。
【００２３】
尚、上記各実施の形態においては、監視サーバと検出手段とが遠隔にて形成されている場合を示したが、これに限られることはなく、監視サーバおよび検出手段が被監視装置の近傍に形成されている場合においても同様に行うことができることは言うまでもない。
【図面の簡単な説明】
【００２４】
【図１】この発明の実施の形態１の監視装置の構成を示すブロック図である。
【図２】この発明の実施の形態２の監視装置の構成を示すブロック図である。
【図３】この発明の実施の形態３の監視装置の構成を示すブロック図である。
【符号の説明】
【００２５】
１  回転電機、２  センサ、３，３１  検出部、４，４０，４１  監視装置、
５，５０，５１  発信手段、６  切換器、７，７０，７１  監視サーバ、
８，８０，８１  ＣＰＵ、１０  第１の送受信手段、１１  第２の送受信手段、
１２，１３，１４  検出手段。
【図１】
2005321946.tif 000003
【図２】
2005321946.tif 000004
【図３】
2005321946.tif 000005